Podtech/llm-jp-corpus-v4-ja_patent huggingface dataset:
(57)【要約】【課題】  一つの検査ステーションで、ボトルの欠陥を見つけるための一対の異なる検査を行うことができる、ガラス製の容器を検査するための装置を提供する。【構成】  検査位置へ搬送される容器の一部を検査するための装置に関する。２色光の光源がボトルを照明し、ビームスプリッタがその光線を２色光の第１の光線と第２の光線とに分割する。一方のカメラは２色のうちの一方の色の光がフィルタリングされた後の光線を撮像し、第２のカメラは２色のうちのもう一方の色の光がフィルタリングされた後の光線を撮像する。【選択図】  図１
2005024542.tif 000002
【特許請求の範囲】
【請求項１】
検査位置へ搬送される容器の一部を検査する装置であって、
ボトルを照明する、２色光からなる光源と、
照明された前記ボトルを映すカメラシステムであって、第１のカメラ、第２のカメラ、及び前記２色光を前記第１のカメラに向け且つ前記２色光を前記第２のカメラに向けるビームスプリッタを含むカメラシステムと、
前記第１のカメラと前記ビームスプリッタとの間の、前記光の色のうちの１色を除去する第１のフィルタと、
前記第２のカメラと前記ビームスプリッタとの間の、前記光の色のうちの他方の１色を除去する第２のフィルタと、
を備えることを特徴とする装置。
【請求項２】
前記検査がなされるボトルの一部が前記容器の底部であることを特徴とする、請求項１記載の装置。
【請求項３】
前記２色光がグリーン及びレッドの光であることを特徴とする、請求項１記載の装置。
【発明の詳細な説明】
【技術分野】
【０００１】
本発明は、欠陥を見つけるためにボトルを検査する装置に関し、特に欠陥を見つけるためにボトルの底部を検査するためのシステムに関する。
【背景技術】
【０００２】
ガラス製のボトル等を検査する装置が、カメラ技術を用いた検査がだんだん行われるようになってきた。重要な領域の一つは、ボトルのベース部または頂部であり、上記システムは不透明または透明な物体としてのベース部または頂部を見て欠陥を突き止めることができる。
【発明の開示】
【発明が解決しようとする課題】
【０００３】
本発明の目的は、一つの検査ステーションで、ボトルの欠陥を見つけるための一対の異なる検査を行うことができる、ガラス製の容器を検査するための装置を提供することである。
【課題を解決するための手段】
【０００４】
上記目的を達成するため、本発明は、検査位置へ搬送される容器の一部を検査する装置であって、ボトルを照明する、２色光からなる光源と、照明された前記ボトルを映すカメラシステムであって、第１のカメラ、第２のカメラ、及び前記２色光を前記第１のカメラに向け且つ前記２色光を前記第２のカメラに向けるビームスプリッタを含むカメラシステムと、前記第１のカメラと前記ビームスプリッタとの間の、前記光の色のうちの１色を除去する第１のフィルタと、前記第２のカメラと前記ビームスプリッタとの間の、前記光の色のうちのもう１つの色を除去する第２のフィルタと、を備えることを特徴とする。
【０００５】
本発明の他の目的及び利点は、本明細書の以下の記載および本発明の原理を組み込んだ現時点で好ましい実施例を特許法の規定に従って図示する添付図面から、はっきりと理解できるであろう。
【発明を実施するための最良の形態】
【０００６】
図１には、一つのカメラレンズ、２台のカメラの撮像システムが図示されている。ボトル１０は、上方および下方ベルト１１を有するベルトタイプの駆動装置によって検査装置を通って搬送されている。上方および下方ベルト１１はボトルの前壁および後壁に係合する。ベルトタイプの駆動装置は、ボトルを送り込みコンベヤ（ｉｎｆｅｅｄ  ｃｏｎｖｅｙｏｒ）から移動し、検査位置を通して搬送し、その後送り出しコンベヤ（ｏｕｔｆｅｅｄ  ｃｏｎｖｅｙｏｒ）へボトルを放出する。
【０００７】
検査システムは検査位置に配置されており、光源アセンブリ１２を有している。光源アセンブリ１２は、ボトルを通して軸方向に上方に向けて光を放つ光源１４を含む。本実施形態において、ボトルの底部が検査されている間、ボトルの頂部（例えば密封面）も検査することができる。
【０００８】
カメラアセンブリはレンズ１８を含み、レンズ１８は光をビームスプリッタ１９および一対のカメラ２１、２２へ向ける。カメラ２１、２２は、各光線を撮像する。光は上方に向かってボトルの底部を通過し、ボトルの開口部を通過してビームスプリッタへ達し、第１のカメラ２１の撮像面上にボトルの底部を投影する。
【０００９】
光源は、２色の異なる色、例えばレッドとグリーンの光を有する。ビームスプリッタは、光線を分割してレッド及びグリーン光を両カメラへ送る。一方のカメラの前にはレッド光をフィルタリングして取り除くレッドフィルタ２３が設けられており、もう一方のカメラの前にはグリーン光をフィルタリングして取り除くグリーンフィルタ２５が設けられている。レッド光は明るい光として現れる。図２は、レッド光を見るカメラにどのように介在物（ｉｎｃｌｕｓｉｏｎ）２４が現れるかを図示している。グリーン光は暗い部分として現れる。図３は、グリーン光を見るカメラにどのように介在物２４が現れるかを図示している。
【００１０】
各カメラの像は、処理装置２６によって周期的に評価され、欠陥が検出されたときに適切な欠陥信号が出力される。
【図面の簡単な説明】
【００１１】
【図１】２つのカメラを有し、欠陥を検出するためにボトルの底部を検査するためのシステムの斜視図である。
【図２】欠陥を表示する２つのカメラのうちの一方のカメラの画像の一部を示す図である。
【図３】同じ欠陥を表示する２つのカメラのうちのもう一方のカメラの画像の同じ部分を示す図である。
【符号の説明】
【００１２】
１０    ボトル
１４    光源
１９    ビームスプリッタ
２１、２２    カメラ
２３    レッドフィルタ
２５    グリーンフィルタ
【図１】
2005024542.tif 000003
【図２】
2005024542.tif 000004
【図３】
2005024542.tif 000005
(57)【要約】【課題】  ボトル上のヒール符号を読み取ることができるガラス製の容器を検査するための機械の提供。【解決手段】  ボトルのヒール符号２４を検査するための機械。ボトル１０が、検査位置において垂直方向に支持されており、結像領域を有するカメラ２８が、ボトルの垂直方向下方に配置されている。光源１６は、光ビームを、光ビームを支持されたボトルの開口部内を通過する光に限定する絞り２２を通してボトル１０の中を下方へと導き、支持されたボトルの底部からボトルのヒール符号を照射するように外方へ照射する。円筒鏡２７が、ボトルの底部とカメラ２８との間でボトルの軸線に対して同軸状に支持されていて、カメラに向かうヒール符号を含んでいる環状の光ビームをカメラに向けて反射させる。黒い中心を有する透明なプレート３２が、環状の光ビーム以外の光がカメラに到達するのを阻止する。【選択図】  図１
2005024548.tif 000002
【特許請求の範囲】
【請求項１】
軸線を有する丸いボトルのヒール符号を検査するための機械であって、
ボトルを検査位置に垂直方向に支持するための手段と、
検査位置に支持されたボトルの垂直方向下方に結像領域を有するカメラと、
光ビームをボトル内下方へと導くための光源手段と、
光のビームを、支持されているボトルの開口部を通過し且つ支持されたボトルの底部をボトルのヒール符号へ向かって外方へと照射する光に限定するように選択的な大きさとされた円形の開口部を有する絞りと、
ヒール符号を含んでいる環状の光ビームを前記カメラに向かけて反射させるための、前記ボトルの軸線と同軸の円筒鏡と、
前記ボトルの底部と前記円筒鏡との間に配置され、黒い円形の中心を有して、前記ヒール符号を含んでいる環状の光ビームより内側の光がカメラに到達するのを阻止するための透明なプレートと、を含む機械。
【請求項２】
請求項１に記載のボトルのヒール符号を検査するための機械であって、
前記光源手段が、ＬＥＤ光ボードと拡散器とを含んでいる、機械。
【発明の詳細な説明】
【技術分野】
【０００１】
本発明は、ボトルの欠陥を検査するための機械に関し、より特定すると、ボトルの底部にヒール符号を検査するための装置に関する。
【背景技術】
【０００２】
ガラス製のボトルを検査するための機械は、オペレータが、欠陥のあるボトルが製造された場所を知り且つボトル製造プロセスをすぐさま調整して型における問題点を排除することができるように型のキャビティにおける欠陥と関連付ける。ガラスの一段高くした小点（ドット）の形態の型データが、ボトルの底部のすぐ上の外壁上に存在することが多い（ヒール（修復）符号）。
【発明の開示】
【発明が解決しようとする課題】
【０００３】
本発明の目的は、ボトル上のヒール符号を読み取ることができるガラス製の容器を検査するための機械を提供することである。
【課題を解決するための手段】
【０００４】
上記課題を解決するために、本発明においては、ボトルを検査位置に垂直方向に支持するための手段と、検査位置に支持されたボトルの垂直方向下方に結像領域を有するカメラと、光ビームをボトル内下方へと導くための光源手段と、光のビームを、支持されているボトルの開口部を通過し且つ支持されたボトルの底部をボトルのヒール符号へ向かって外方へと照射する光に限定するように選択的な大きさとされた円形の開口部を有する絞りと、ヒール符号を含んでいる環状の光ビームを前記カメラに向かけて反射させるための、前記ボトルの軸線と同軸の円筒鏡と、前記ボトルの底部と前記円筒鏡との間に配置され、黒い円形の中心を有して、前記ヒール符号を含んでいる環状の光ビームより内側の光がカメラに到達するのを阻止するための透明なプレートとによって、軸線を有する丸いボトルのヒール符号を検査するための機械を構成している。
【０００５】
本発明のその他の目的及び利点は、本明細書の以下の部分及び特許法に従って本発明の原理を組み入れられている現在のところ好ましい実施形態を図示している添付図面から明らかとなるであろう。
【発明を実施するための最良の形態】
【０００６】
ボトル１０は、駆動ベルトの互いに対向する対１２によって検査ステーションに支持される。
ボトルの頂部の上方には、ＬＥＤの光ボードの形態の光源１６（ＬＥＤの正方形マトリックス）が配置されている。射出された光は、拡散器１８によって拡散され、次いで、絞り２２の穴２０内を通過する。穴は、光を、ボトルの開口部内を通過させ下方へと伝搬させ、ボトルの底部を、存在するボトルに直接関係のある情報（ヒール符号）を表しているガラスのこぶ２４が設けられたボトルの基部の上方のボトルの側壁へ向かうように外方へ照射するように、選択的な大きさとされている。
【０００７】
光は、ボトル内を通過し、次いで、ヒール符号の近くでボトルを通過した光のビームに対応する環状ビームが、ボトルの底部とカメラとの間に配置されている円筒鏡２７によって、結像カメラ２８の広角レンズへと反射される（フレネルレンズ２６が、円筒鏡とボトルの底部との間に配置されて、光ビームの直径を小さくすることができる）。円形の黒い中心３４を有するプレート３２が、円筒鏡とカメラの結像面との間に配置されている。円形の黒い中心の大きさは、ヒール符号を含んでいる環状ビーム以外の光がカメラの結像面に到達しないように規定されている。像は、プロセッサ３０によって評価される。所望ならば、絞りは自動化することができ、光源及び拡散器は、垂直方向に変位可能なユニットの一部分とすることができる。
【図面の簡単な説明】
【０００８】
【図１】ボトルの底部を検査するための装置の側面図である。
【図２】ヒール符号のカメラの像を示している図である。
【符号の説明】
【０００９】
１０  ボトル、            １２  駆動ベルトの対、    １６  光源、
１８  拡散器、            ２０  開口部、            ２２  絞り、
２４  ガラスのこぶ（ヒール符号）                    ２６  フレネルレンズ、
２７  円筒鏡、            ２８  結像カメラ、        ３０  プロセッサ、
３２  プレート、          ３４  円形の黒い中心
【図１】
2005024548.tif 000003
【図２】
2005024548.tif 000004
【手続補正書】
【提出日】平成16年6月17日(2004.6.17)
【手続補正１】
【補正対象書類名】特許請求の範囲
【補正対象項目名】請求項１
【補正方法】変更
【補正の内容】
【請求項１】
軸線を有する丸いボトルのヒール符号を検査するための機械であって、
ボトルを検査位置に垂直方向に支持するための手段と、
検査位置に支持されたボトルの垂直方向下方に結像領域を有するカメラと、
光ビームをボトル内下方へと導くための光源手段と、
光のビームを、支持されているボトルの開口部を通過し且つ支持されたボトルの底部をボトルのヒール符号へ向かって外方へと照射する光に限定するように選択的な大きさとされた円形の開口部を有する絞りと、
ヒール符号を含んでいる環状の光ビームを前記カメラに向かけて反射させるための、前記ボトルの軸線と同軸の円筒鏡と、
前記カメラと前記円筒鏡との間に配置され、黒い円形の中心を有して、前記ヒール符号を含んでいる環状の光ビームより内側の光がカメラに到達するのを阻止するための透明なプレートと、を含む機械。
(57)【要約】【課題】  単一のカメラが２つの検査を行うことができるようにしたガラス容器を検査するための装置の提供。【解決手段】  検査装置は、単一のカメラ２６によって２つの検査を行う。一つの検査においては、偏光された光が、ボトル１０の側壁を照射し、極性を変化させない強誘電性の結晶２０の両側に設けられた一対の電極面１８，２２を通過し、偏光器１６，２４を通過してカメラ上に結像する。第２の検査においては、偏光された光が、同じ構造によって９０°回転され、その結果、ボトル内の応力の結果として回転された光のみが、偏光器を通過し、欠陥としてカメラ上に結像する。【選択図】  図１
2005024547.tif 000002
【特許請求の範囲】
【請求項１】
ボトルを検査するための機械であって、
検査位置にボトルを支持するためのコンベアと、
検査位置においてボトルを検査するための検査装置とを含み、
同検査装置は、
結像面を有するボトルの一方の側部に設けられたカメラと、
前記カメラに向かって光を導くボトルの他方の側部に設けられた光源と、
前記光源とボトルとの間に設けられた第１の偏光器と、
ボトルの一方の側部においてボトルと前記カメラとの間に設けられた第１の電極面と、
ボトルの一方の側部において前記第１の電極面と前記カメラとの間に設けられた強誘電性の液晶と、
同強誘電性の液晶と前記カメラとの間のボトルの一つの側面に設けられた第２の電極面と、
前記第２の電極面と前記カメラとの間に設けられた第２の偏光器と、
前記第１及び第２の電極面を代わるがわる作動させるためのコントローラ手段と、を含む、機械。
【請求項２】
請求項１に記載のボトルを検査するための機械であって、
前記第１及び第２の電極面と前記強誘電性の液晶とによる偏光された光を、温度の関数として相対的に回転させるための手段を更に含む、機械。
【発明の詳細な説明】
【技術分野】
【０００１】
本発明は、ボトルの欠陥を検査するためのカメラをベースとした検査装置を有する機械に関する。
【背景技術】
【０００２】
ガラス製のボトルを検査するための機械は、極めて多くの検査を行う。これらの検査は、カメラ技術を使用して益々行われ、各カメラは装置に対して実質的な費用を追加する。
【発明の開示】
【発明が解決しようとする課題】
【０００３】
本発明の目的は、単一のカメラが２つの検査を行うことができるようにしたガラス容器を検査するための装置を提供することである。
【課題を解決するための手段】
【０００４】
上記目的を達成するために、本発明においては、ボトルを検査するための機械を、検査位置にボトルを支持するためのコンベアと、検査位置においてボトルを検査するための検査装置とによって構成し、更に、同検査装置を、結像面を有するボトルの一方の側部に設けられたカメラと、前記カメラに向かって光を導くボトルの他方の側部に設けられた光源と、前記光源とボトルとの間に設けられた第１の偏光器と、ボトルの一方の側部においてボトルと前記カメラとの間に設けられた第１の電極面と、ボトルの一方の側部において前記第１の電極面と前記カメラとの間に設けられた強誘電性の液晶と、同強誘電性の液晶と前記カメラとの間のボトルの一つの側面に設けられた第２の電極面と、前記第２の電極面と前記カメラとの間に設けられた第２の偏光器と、前記第１及び第２の電極面を代わるがわる作動させるためのコントローラ手段とから構成している。
【０００５】
本発明のその他の目的及び利点は、本明細書の以下の部分及び特許法に従って本発明の原理を組み入れられている現在のところ好ましい実施形態を図示している添付図面から明らかとなるであろう。
【発明を実施するための最良の形態】
【０００６】
図１は、コンベア１２によって検査機の検査ステーションの中を搬送されているボトル１０を示している。第１の偏光器１６及びこれによって偏光された光が、この検査ステーションを照射し、光源１４からの光は、ボトルの軸線に直角な方向において同ボトルを通過する。光は、次いで、第１の電極面１８、ＦＬＣ（強誘電性の液晶）２０、第２の電極面２２、第１の偏光器１６と同じ極性を有する第２の偏光器２４を通過し、カメラ２６の結像面上に結像する。
【０００７】
電極面の動作は、第１の電極面か第２の電極面に電圧Ｖ３０を適用するために回路ＡかＢを起動させるＰＬＣ２８からの出力によって制御される。Ａが起動されると、カメラは、明るい偏光された光によって照射されて（電極面とＦＬＣとが第１及び第２の偏光器と同じ極性を規定している）ボトルの側壁が検査できるようになされており、Ｂが起動されると、カメラの像は黒くなり（電極面とＦＬＣとが９０°回転された極性を規定している）、その結果、欠陥によってボトル内の応力が変化する場所以外では光が遮断され、光の一部分が第２の偏光器を通過し、欠陥を示すカメラの像に達するようになされている。
【０００８】
図２は、周囲の温度変化による装置の相対偏光を調整するための温度補正回路を図示している。この装置が使用される工場は、５０°Ｆを超え得る周囲温度範囲を有することが多い。装置のコントラスト比（暗いモードに対する明るいモードの比）は温度の関数である。これらの変動によって生じる誤差を補正するために、温度センサー３４からの温度入力を受け取り且つコントラスト比を作動温度範囲に亘ってできるだけ高く維持する増幅器３２が使用されている。これは、ソフトウエア又はハードウエアにおいて行うことができる。
【図面の簡単な説明】
【０００９】
【図１】本発明の教示に従って作られた検査機械の構成図である。
【図２】図１に適用される電圧のための温度補正回路の回路図である。
【符号の説明】
【００１０】
１０  ボトル、          １２  コンベア、        １４  光源、
１６  第１の偏光器、    １８  第１の電極面、    ２０  強誘電性の液晶、
２２  第２の電極面、    ２４  第２の偏光器、    ２６  カメラ、
２８  ＰＬＣ、          ３２  増幅器、          ３４  温度センサー
【図１】
2005024547.tif 000003
【図２】
2005024547.tif 000004
(57)【要約】【課題】  単一の検査ステーションにおいてボトルの底部内の欠陥を検査する一対の異なる検査を行うことができるガラス容器を検査するための機械の提供。【解決手段】検査位置へと搬送される容器の一部分を検査するための機械。偏光された光の光源１４、１６がボトル１０を照射し、ビームスプリッタ１９が、偏光された光を第１の偏光ビームと、回転偏光された第２の偏光ビームとに分ける。第１のカメラ２１は偏光されたビームを結像させ、第２のカメラ２２は第２の光ビームを結像させる。【選択図】  図１
2005024546.tif 000002
【特許請求の範囲】
【請求項１】
検査位置へと搬送される容器の一部分を検査するための機械であって、
ボトルを照射するための偏光された光の光源と、
前記照射されたボトルの像を結像するためのカメラ装置であって、第１のカメラと、第２のカメラと、前記偏光された光を前記第１のカメラへと導き且つボトル内の欠陥の結果として回転された偏光された光を前記第２のカメラへと導くためのビームスプリッタと、を含むカメラ装置と、を含む機械。
【請求項２】
請求項１に記載の容器を検査するための機械であって、
検査されるボトルの部分が同ボトルの底部である機械。
【請求項３】
請求項１に記載の容器を検査するための機械であって、
前記偏光された光の光源が、光源と、光を偏光させるための偏光器とを含んでいる、機械。
【発明の詳細な説明】
【技術分野】
【０００１】
本発明は、ボトルの欠陥を検査する機械に関し、より特定すると、ボトルの底部の欠陥を検査するための装置に関する。
【背景技術】
【０００２】
ガラス製のボトル等を検査する機械は、カメラ技術を使用する検査を益々行っている。重要な部分のうちの一つはボトルの底であり、装置は、欠陥を特定するために、不透明な又は透明な対象物の底部を監視することができる。
【発明の開示】
【発明が解決しようとする課題】
【０００３】
本発明の目的は、ボトルの底部内の欠陥を検査する一対の異なる検査を行うことができるガラス容器を単一の検査ステーションにおいて検査するための機械を提供することである。
【課題を解決するための手段】
【０００４】
上記目的を達成するために、本発明においては、ボトルを照射するための偏光された光の光源と、前記照射されたボトルの像を結像するためのカメラ装置であって、第１のカメラと、第２のカメラと、前記偏光された光を前記第１のカメラへと導き且つボトル内の欠陥の結果として回転された偏光された光を前記第２のカメラへと導くためのビームスプリッタとを含むカメラ装置と、によって、検査位置へと搬送される容器の一部分を検査するための機械を構成している。
【０００５】
本発明のその他の目的及び利点は、本明細書の以下の部分及び特許法に従って本発明の原理を組み入れられている現在のところ好ましい実施形態を図示している添付図面から明らかとなるであろう。
【発明を実施するための最良の形態】
【０００６】
単一カメラレンズのデュアル（双）カメラによる結像装置が図示されている。ボトル１０は、ボトルの前方壁及び後方壁と係合する上方及び下方ベルト１１を有していても良いベルト型の駆動装置によって検査機内を搬送されつつある。ベルト型の駆動装置は、給送コンベアからボトルを取り出し、同ボトルを検査位置を通るように搬送し、次いで、同ボトルを送出コンベアへと解放する。検査装置は、検査位置に配置されており且つ光をボトル内を軸線方向上方へ導く光源１４とボトルに到達する前に光を偏光させる偏光器１６とを含む光源アセンブリ１２を含んでいる。
【０００７】
カメラアセンブリは、偏光された光を偏光ビームスプリッタ１９及びビームの各々を結像する一対のカメラ２１、２２へと導く。偏光された光は、ボトルの底部を通過し、ボトルの開口部を上方へと通過してビームスプリッタへ到達し、第１のカメラ２１の結像面上にボトルの底部の像を結像する。図２は、混在物２４が第１のカメラに対してどのように現れるかを示している。
【０００８】
ボトルの底部における底部応力が存在する欠陥の近くを通過する偏光された光は回転し、ビームスプリッタは、この回転偏光された光を第２のカメラ２２へと再度導くであろう。図３は、この同じ欠陥（混在物）２４が第２のカメラに対してどのような現れるかを示している。
【０００９】
各カメラの像は、プロセッサ２６によって周期的に評価され、欠陥が検知されると、適当な欠陥信号が発せられる。
【図面の簡単な説明】
【００１０】
【図１】２つのカメラを有している、欠陥のためのボトルの底部を検査するための装置の斜視図である。
【図２】欠陥を指示するカメラのうちの一つのカメラの像の一部分の一部分の図面である。
【図３】同じ欠陥を指示するカメラのうちの他の一つのカメラの像の同じ部分の一部分の図面である。
【符号の説明】
【００１１】
１０  ボトル、          １１  ベルト、          １２  光源アセンブリ、
１４  光源、            １６  偏光器、          １９  偏光ビームスプリッタ、
２１  第１のカメラ、    ２２  第２のカメラ、
２４  混在物、          ２６  プロセッサ
【図１】
2005024546.tif 000003
【図２】
2005024546.tif 000004
【図３】
2005024546.tif 000005
(57)【要約】【課題】ボトルのヒールコードを読み取ることのできる、ガラス容器を検査するための機械を提供する。【解決手段】  ボトルのヒールコードを検査するための機械である。ボトルは検査位置で垂直方向に支持され、画像領域を有するカメラがそのボトルの垂直方向下方に配置されている。水平方向に配置された環状リング照明は、光の環状ビームを、上向きに、支持されているボトルのヒールコードに向け、ヒールコードから反射された光は、環状リング照明の下に同心に配置されている環状の凹状面で、カメラの画像領域に反射される。【選択図】    図１
2005024543.tif 000002
【特許請求の範囲】
【請求項１】
ボトルのヒールコードを検査するための機械において、
ボトルを検査位置で垂直方向に支持するための手段と、
前記検査位置で支持されているボトルの垂直下方に画像領域を有するカメラと、
支持されているボトルのヒールコードに上向きに光の環状ビームを向けるための、水平方向に配置されている環状リング照明と、
支持されているボトルのヒールコードから反射された光を受けて、その光を前記カメラの画像領域に反射するための、前記環状リング照明の下に同心に配置されている環状の凹状面を有するミラーと、を備えている機械。
【請求項２】
前記環状リング照明は、前記ヒールコードを選択的に狙った複数のＬＥＤを備えている、請求項１に記載のボトルのヒールコードを検査するための機械。
【請求項３】
前記環状リング照明と前記ミラーは隣接している、請求項２に記載のボトルのヒールコードを検査するための機械。
【発明の詳細な説明】
【技術分野】
【０００１】
本発明は、概括的にはボトルの欠陥を検査する機械に関し、より具体的にはボトルの底のヒールコードを検査するためのシステムに関する。
【背景技術】
【０００２】
ガラスボトルを検査するための機械は、作業員が、欠陥のあるボトルがどこで製造されたかを知り、ボトル製造工程を直ぐに調整して当該成形型の問題をなくすことができるように、欠陥と成形型空洞とを相関付ける。ガラスの隆起した点の形をした成形型データは、ボトル底部の直ぐ上のボトルの外壁に設けられていることが多い（ヒールコード）。これらガラスの点は、通常は共通の水平面内に配置されている。
【発明の開示】
【発明が解決しようとする課題】
【０００３】
本発明の目的は、ボトルのヒールコードを読み取ることのできる、ガラス容器を検査するための機械を提供することである。
【課題を解決するための手段】
【０００４】
上記目的を達成するために、本発明は、  ボトルのヒールコードを検査するための機械において、ボトルを検査位置で垂直方向に支持するための手段と、前記検査位置で支持されているボトルの垂直下方に画像領域を有するカメラと、支持されているボトルのヒールコードに上向きに光の環状ビームを向けるための、水平方向に配置されている環状リング照明と、支持されているボトルのヒールコードから反射された光を受けて、その光を前記カメラの画像領域に反射するための、前記環状リング照明の下に同心に配置されている環状の凹状面を有するミラーと、を備えていることを特徴とする。環状リング照明は、ヒールコードを選択的に狙った複数のＬＥＤを備えるように構成できる。環状リング照明と前記ミラーとを隣接して設けてもよい。
【０００５】
本発明のこの他の目的及び利点は、本明細書の以下の部分、並びに、特許法の命令に従って、本発明の原理を組み入れた現下の好適な実施形態を示している添付図面から明らかになるであろう。
【発明を実施するための最良の形態】
【０００６】
ボトル１０は、検査ステーションでは、互いに反対側にある対になった駆動ベルト１２で支持されている。環状の円錐形の反射面１６を有するミラー１４が、機械フレームのこの位置に取り付けられている。このミラーの上には、整合の取れた開口部を有する、照明支持体１８を有する環状のリング照明が固定されており、この照明支持体１８には、等間隔に配置された数多くの個別のＬＥＤ２０が取り付けられている。図示のように、ＬＥＤは上向きに傾斜が付けられ、光を、通常は共通の水平面に設けられヒールコードを規定しているガラスの１つ又は複数の隆起した出っ張り部２２に向けている。
【０００７】
リング照明からの光は、ボトルの側壁でミラーの円錐形の反射面へと反射し、円錐形の反射面によってカメラの画像領域２４へと方向を決め直される。カメラ画像は記憶され、その後、評価されてヒールコードが判定される。図２は、ヒールコードを規定している隆起したガラスの出っ張り部がカメラの画像に現われたところを示している。
【図面の簡単な説明】
【０００８】
【図１】欠陥を探してボトルの底部を検査するためのシステムの立面概略図である。
【図２】ヒールコードのカメラ画像を示す概略図である。
【符号の説明】
【０００９】
１０      ボトル
１２      駆動ベルト
１４      ミラー
１６      反射面
１８      照明支持体
２０      ＬＥＤ
２２      ガラスの隆起部
２４      カメラの画像領域
【図１】
2005024543.tif 000003
【図２】
2005024543.tif 000004
(57)【要約】【課題】パンツ本体側に尿が漏れることを防止することができる失禁パンツ及び失禁パンツ用吸収部材を提供することである。【解決手段】パンツ本体１０と、パンツ本体１０の股当部内側に設けられ、尿を吸収する吸収布１４、吸収布１４のパンツ本体１０側に設けられた撥水布１６及び撥水布１６のパンツ本体１０側に設けられた防水布１８から構成された吸収部材１２と、を備えた失禁パンツであって、吸収布１４は、撥水布１６に縫合され、撥水布１６の吸収布１４との縫合部２２と異なる部分２４が、防水布１８に縫合されていることを特徴とする【選択図】        図２
2005015932.tif 000002
【特許請求の範囲】
【請求項１】
パンツ本体と、該パンツ本体の股当部内側に設けられ、尿を吸収する吸収布、該吸収布の前記パンツ本体側に設けられた撥水布及び該撥水布の前記パンツ本体側に設けられた防水布から構成された吸収部材と、を備えた失禁パンツであって、前記吸収布は、撥水布に縫合され、該撥水布の前記吸収布との縫合部と異なる部分が、前記防水布に縫合されていることを特徴とする失禁パンツ。
【請求項２】
失禁用パンツ本体の股当部内側に装着可能で、尿を吸収する吸収布、該吸収布の前記パンツ本体側に設けられた撥水布及び該撥水布の前記パンツ本体側に設けられた防水布から構成された失禁パンツ用吸収部材であって、前記吸収布は、撥水布に縫合され、該撥水布の前記吸収部材との縫合部と異なる部分が、前記防水布に縫合されていることを特徴とする失禁パンツ用吸収部材。
【発明の詳細な説明】
【０００１】
【発明の属する技術分野】
本発明は、小便を抑制できずに漏らしてしまう乳幼児や老人などが着用する失禁パンツに関する。
【０００２】
【従来の技術】
従来から、小便を抑制できずに漏らしてしまう乳幼児や老人などが着用する失禁パンツがある。失禁パンツは、図３に示すようにパンツ本体３０と、パンツ本体３０の股当部内側に設けられた吸収部材３２と、を備えている。この吸収部材３２は、図４に示すように尿を吸収する吸収布３４と、吸収布３４のパンツ本体３０側に設けられた防水布３６と、吸収布３４と防水布３６の端部を包み込む状態で縫合されたバインダー４０と、から構成されており、この防水布３６によって尿がパンツ本体に漏れるのを防止している。また、吸収部材３２は、パンツ本体３０股当部の形状に合わせて形成されており、防水布３６をパンツ本体３０に縫い合わせたり、ボタンなどによって着脱自在に取り付けられている。
【０００３】
【発明が解決しようとする課題】
しかしながら、この吸収部材３２において、吸収布３４は、図４に示すように直接防水布３６に縫い合わされているので、その縫合部３８から尿がパンツ本体３０側に漏れてしまうという問題がある。
【０００４】
そこで、本発明は、パンツ本体側に尿が漏れることを防止することができる失禁パンツ及び失禁パンツ用吸収部材を提供することを目的とする。
【０００５】
【課題を解決するための手段】
以上の目的を達成するため、本発明は、パンツ本体と、該パンツ本体の股当部内側に設けられ、尿を吸収する吸収布、該吸収布の前記パンツ本体側に設けられた撥水布及び該撥水布の前記パンツ本体側に設けられた防水布から構成された吸収部材と、を備えた失禁パンツであって、前記吸収布は、撥水布に縫合され、該撥水布の前記吸収布との縫合部と異なる部分が、前記防水布に縫合されていることを特徴とするものである。
【０００６】
また、本発明は、失禁用パンツ本体の股当部内側に装着可能で、尿を吸収する吸収布、該吸収布の前記パンツ本体側に設けられた撥水布及び該撥水布の前記パンツ本体側に設けられた防水布から構成された失禁パンツ用吸収部材であって、前記吸収布は、撥水布に縫合され、該撥水布の前記吸収部材との縫合部と異なる部分が、前記防水布に縫合されていることを特徴とするものである。
【０００７】
以上のように、本発明に係る失禁パンツ及び失禁パンツ用吸収部材において、吸収布は、撥水布に縫合され、撥水布のその縫合部以外の箇所が防水布に縫合されているので、吸収布の縫合部から漏れた尿は、撥水布によって弾かれ、防水布からパンツ本体に漏れることはなく、パンツ本体に尿の染み出しが生じるのを防止できる。
【０００８】
【発明の実施の形態】
次に、本発明に係る失禁パンツ及び失禁パンツ用吸収部材について図面に基づいて説明する。図１は、本実施例に係る失禁パンツの正面図であり、図２は、本実施例に係る失禁パンツ用吸収部材の一部断面図である。
【０００９】
本実施例係る失禁パンツは、図１に示すようにパンツ本体１０と、パンツ本体１０の股当部内側に設けられた吸収部材１２と、を備えている。この吸収部材１２は、図２に示すようにパンツ本体１０の股当部内側に設けられ、尿を吸収する吸収布１４と、吸収布１４のパンツ本体１０側に設けられた撥水布１６と、撥水布１６のパンツ本体１０側に設けられた防水布１８と、撥水布１６と防水布１８の端部を包み込む状態でこれらに縫合されたバインダー２０と、から構成されており、吸収布１４は、撥水布１６に縫合され、この撥水布１６の吸収布１４との縫合部２２と異なる部分２４を防水布１８に縫合されている。また、吸収部材１２は、パンツ本体１０の股当部の形状に合わせて形成されており、防水布１８をパンツ本体１０に縫い合わせることによって取り付けられている。
【００１０】
【発明の効果】
以上のように、本発明に係る失禁パンツ及び失禁パンツ用吸収部材は、吸収布は、撥水布に縫合され、撥水布のその縫合部以外の箇所が防水布に縫合、吸収布の縫合部から漏れた尿は、撥水布によって弾かれ、防水布からパンツ本体に漏れることはなく、パンツ本体に尿の染み出しが生じるのを防止できるので、パンツ本体側に尿が漏れることを防止することができる失禁パンツ及び失禁パンツ用吸収部材を提供することができる。
【図面の簡単な説明】
【図１】本発明に係る失禁パンツの実施例の正面図である。
【図２】本発明に係る失禁パンツ用吸収部材の実施例の一部断面図である。
【図３】従来の失禁パンツの正面図である。
【図４】従来の失禁パンツ用吸収部材の一部断面図である。
【符号の説明】
１０      失禁パンツ本体
１２      吸収部材
１４      吸収布
１６      撥水布
１８      防水布
２２、２４        縫合部
【図１】
2005015932.tif 000003
【図２】
2005015932.tif 000004
【図３】
2005015932.tif 000005
【図４】
2005015932.tif 000006
(57)【要約】【目的】屋外作業員等の中で、特に制帽（帽子）、ヘルメット等を着用する場合、雨用、防寒・防暑等のフードについて、屋外作業等に必要な機敏な動作（上下左右を見る等の頭部の動作）をやり易いものとし、かつ手軽に着用できるものとする。【構成】シート（１）及び同シート（１）に付設された留め具（２）からなり、人の頭部又は、制帽（帽子）やヘルメット等の縁部（３）等に着脱して使用することを特徴とする簡易フード。【選択図】        図２
2005015984.tif 000002
【特許請求の範囲】
【請求項１】
シート（１）及び同シート（１）に付設された留め具（２）からなり、人の頭部又は、制帽（帽子）やヘルメット等の縁部（３）等に着脱して使用することを特徴とする簡易フード。
【発明の詳細な説明】
【０００１】
【産業上の利用分野】
本発明は、屋外作業員等の防風・防雨・防寒・防暑（日よけ）等に利用できるものである。
【０００２】
【従来の技術】
従来は、頭部からかぶる頭巾タイプのフード、又は布等を頭から垂らした上に帽子をかぶる、あるいは雨合羽に取付けられたフード等の技術しか見当たらなかった。
【０００３】
【発明が解決しようとする課題】
屋外作業員等の中で、特に制帽（帽子）、ヘルメット等を着用する場合、通常はそれらの上からすっぽりかぶってしまう雨合羽のフードがあるが、活発な頭部の動作がやり辛いため、かなりの激しい雨等にならない限り、制帽の場合は「雨覆い」をかける等して凌いでいるのが現状であり、雨用のみならず、防寒・防暑のフードについても、屋外作業に必要な機敏な動作を阻害せず、かつ手軽に着用できるものが無く、極めて不便であったが、本発明は、かかる課題を解決したものである。
【０００４】
【課題を解決するための手段】
シート（１）及び同シート（１）に付設された留め具（２）からなり、人の頭部又は、制帽（帽子）やヘルメット等の縁部（３）等に着脱して使用することを特徴とする簡易フード。
【０００５】
【作用】
シート（１）及び同シート（１）に付設された留め具（２）からなり、同留め具（２）によって、シート（１）を、人の頭部又は、制帽（帽子）やヘルメット等の縁部（３）等に着脱して使用することから、雨用のみならず、防寒・防暑等の簡易フードとして手軽に使用でき、かつ屋外作業等に必要な機敏な動作を阻害しない（左右を見る等の頭部の動作がやり易い）作用を有する。
【０００６】
【実施例】
以下本発明の実施例について説明する。
（イ）  おおむね縦４０ｃｍ横おおむね７６ｃｍの長方形透明ビニールシート（１）がある時、同シートの一方の長辺の中心点から、長辺上を短半径おおむね１０ｃｍ、長半径（奥行き）おおむね１５ｃｍとする半楕円状に同シート（１）を切り抜き、その後の同シート（１）上の、切り抜いた部分のある、長辺の途切れた両側の部分に、留め具（２）としてマジックテープ（２〜ア）を付設する。
次に、前記長辺の中心点から、同シート（１）（長方形）の対角に当たる両角に直線を引いたと仮定して、同直線と前記半楕円縁周の交わる地点から、同直線上のおおむね２５ｃｍの地点にさらに、同直線と直角に交差する直線を引いたと仮定した時、同線に沿って同シート（１）本体部分を残し、両側三角形の部分を切り離すものとする。
なお、留め具（２）として、おおむね１０ｃｍの長さのゴム紐（２〜イ）を用意し、両端にマジックテープ（２〜ア）を付設するが、この時の、同マジックテープは、前記シート（１）に付設したマジックテープ（２〜ア）と接着するよう、同マジックテープ（２〜ア）とは雌雄異なるものを付設するものとする。
さらに、同シート（１）の、残り両側２箇所の直角部分に、それぞれ雌雄が異なるマジックテープ（２〜ア）を付設した後、かかるシート（１）の半楕円切抜き縁部を、その奥行き最深部が、人の後頭部の正中に位置するよう、人の頭部又は、制帽（帽子）やヘルメット等の縁部（３）等にあてがい、前記留め具（２）としてのゴム紐（２〜イ）に付設した雌雄いずれかのマジックテープ（２〜ア）を、前記シート（１）の長辺の途切れた両側の部分に付設した雌雄いずれかのマジックテープ（２〜ア）と、接着させ、双方を引張るようにして装着する。
本実施例では、本文中の「付設」の方法は、接着・縫付け等いずれの方法でもよく、当該シート（１）についてもを、当初から金型成型しておいても良い。
前記同シート（１）の、残り両側２箇所の直角部分に、それぞれ付設した雌雄が異なるマジックテープ（２〜ア）については、本実施例ではそれぞれ同シート（１）の裏と表に敷設したものとし、前記長辺の途切れた両側の部分に、留め具（２）としてのマジックテープ（２〜ア）を付設した方を、本シート（１）の表とする。
本実施例では、制帽の縁部（３）に装着して使用するものとする。
（ロ）  実施例（イ）において用いる透明のビニールシート（１）は、透明でなくともよく、素材も、レース・布織綿・紙等なんでもよい。
（ハ）  シート（１）の形状は、実施例（イ）の形状でなくともよく、シート（１）に付設された留め具（２）によって、人の頭部又は、制帽（帽子）やヘルメット等の縁部（３）等に装着することによってフードとしての  機能を持つものであればどのような形状でも良い。
（ニ）  実施例（イ）において用いる留め具（２）は、マジックテープ（２〜ア）やゴム紐（２〜イ）でなくともよく、フック・バンド・紐等なんでも良い。
（ホ）  実施例（イ）において、半楕円形の縁周部に任意の間隔、任意の長さの切れ目をいれ、同円周部に紐を這わせ、切れ目部を折り曲げて同紐を挟み込むようにして接着又は縫付ける等して付設し、同紐を利用して装着すれば、耐用度を増す他、シート（１）の形状が完成した段階で同シート（１）の縁部若干を折り曲げ接着や縫付け、又は溶融等により耐用度を強化しても良い。
（ヘ）  実施例（イ）において、半楕円形の縁周部に、同等大の「Ｕ」又は「Ｃ」字形の弾力性を有するフレームを付設し、装着性を高めてもよく、付設の方法も、接着・縫付け・金型成型等なんでもよい。
（ト）  実施例（イ）において、前記記載の各寸法は、人の体格等に応じ随意前後するものとする。
以下の実施例においても同じ。
【０００７】
【発明の効果】
シート（１）及び同シート（１）に付設された留め具（２）からなり、同留め具（２）によって、シート（１）を、人の頭部又は、制帽（帽子）やヘルメット等の縁部（３）等に着脱して使用することから、雨用のみならず、防寒・防暑等の簡易フードとして手軽に使用でき、かつ屋外作業等に必要な機敏な動作（上下左右を見回す等の頭部の動作）が非常にやり易い等の効果がある。
【図面の簡単な説明】
【図１】本考案実施例（イ）の平面図である。
【図２】本考案実施例（イ）の使用斜視図である。
【符号の説明】
１      透明ビニールシート
２−ア  マジックテープ
２−イ  ゴム紐
３      制帽の縁部
【図１】
2005015984.tif 000003
【図２】
2005015984.tif 000004
(57)【要約】【課題】平面的に出来ているきものを、手で形作り乍ら着上げるには、かなりの技術、時間、体力がいる。それらをはぶき、技をポイントに表現し、きもの姿を作り上げ、機能を持たせ、だれでもすぐ着れるきものを提供する。【解決手段】衿後の形を上品な抜きかげん、手巾位抜き形を作った（１）衿の前はくぼみのあたりで丁度良くＶになるように成っている（２）背中心、後すそにかけ美しい線を出すためボックスプリーツ４９ｃｍを入れた（３）脇すそに歩きやすいようプリーツ後へ向け３２ｃｍ（４）楽に着れるよう前で十分あけてある（５）を設け、上手に着こなしたよう、立体的、形作ったことを特徴とする。【選択図】  図１
2005015985.tif 000002
【特許請求の範囲】
【請求項１】
衿の形、肩下り、上前形袖ぐり、身八ツ口、袖の形、たてづま縫い付位置、後中心すそボックスプリーツ、脇すそプリーツ、帯、前身、後身、袖これらからの構成からなる、きもの着姿の、基本の元形と、基本の元形から成るすべての変化、すぐ着れるあこがれのきもの。
【発明の詳細な説明】
【０００１】
【発明の属する技術分野】
この発明は、きつけの技術、時間、体力をはぶき着方を知らない人でもすぐ着れ、かっこう良く技を表現し、機能を持たせた、きものに関するものである。
【０００２】
従来平面的に出来た着物がある。それは、着つけを知らなければ着ることが出来ない。
【０００３】
【発明が解決しようとする課題】
そのため次のような欠点があった。
（イ）  きつけを習って、かなり練習しなければ着ることが出来ない。
（ロ）  手の先で形を作り、ひもを使用して着上げるが、時間が、２０分前後はかかる。体力もいる助教授、講師として永年３０年きつけを教育して来た中で、生徒の苦心等を見る中、本発明は、これらの欠点を解決するために、なされたものである。
【０００４】
【課題を解決するための手段】
大切なポイントである衿、前の打合せ（１）なだらかな肩の線（２）身八ツ口（３）帯（４）袖（５）たてづま（６）つま先（７）上前の形（８）後衿の抜きと形（９）後中心すそ部ボックスプリーツ（１０）脇線すそ部プリーツ後へ向けて（１１）を設ける。本発明は以上の構成からなる立体的きものの形に作り上げた、すぐ着れるきものである。
【０００５】
【発明の実施の形態】
以下、本発明の実施の形態について説明する。
（イ）  前衿の打合せ、くぼみの所で丁度良く合さるようにした、（１）肩の線が直線だと、着た時脇にしわが出てくるので、なくすため肩にそわせた形を作り出し脇をすっきりした形にした。（２）身八ツ口１０ｃｍ明け、風を通す機能が有るため（３）
（ロ）  帯共布で端にスパンコールでかざった、巾１０ｃｍ、細いものより身体に良いため（４）袖は形によく作った。（５）
（ハ）  たてづまの位置ですそから１２ｃｍ上より４０ｃｍ縫い付けて有る（６）つま先合せて着たように、すそ部分が開くように作ってある（７）上前脇の部分にしわが出ないよう考え、形良く作った。下前は上前と同じ（８）衿、後、上品な抜きかげんにし、良い形に作り上げた。（９）ボックスプリーツ背中心すそにかけて美しい線を出すため、すそから４９ｃｍ（１０）シルエット、歩き安さを考え、脇線すそ部後へ向けプリーツ３２ｃｍ（１１）帯たれ先スパンコール（１２）
【０００６】
【発明の効果】
形良く着るための、すべてのポイントに技を取り入れ、立体的きもの姿の形に作って有る。又、色、柄により、祝着、外出着、黒にすれば喪の時にと、ＴＰＯも幅広く着れる。
【図面の簡単な説明】
【図１】本発明の正面図
【図２】本発明の斜視図
【符号の説明】
（１）  前衿打合せ
（２）  肩の線
（３）  身八ツ口
（４）  帯
（５）  袖
（６）  たてづま縫付位置
（７）  つま先
（８）  上前
（９）  後抜き衿
（１０）  ボックスプリーツ位置背中心裾
（１１）  プリーツ脇裾部
（１２）  帯たれ先スパンコール
【図１】
2005015985.tif 000003
【図２】
2005015985.tif 000004
(57)【要約】【課題】シルバーカーを押す時、わざわざ手ぶくろをつけなくても、老人達の手を寒さや、日差しから守り、手先の細かい作業も、この手ぶくろから手を抜き出すと、すぐに行える、シルバーカー用の手ぶくろを提供する。【解決手段】手ぶくろ本体（１）に、手すりとブレーキの２本を通した状態で収納させるため、裏側に切り込みを入れ、フタ（２）にした。フタ（２）で開いた部分を、収納部（５）とする。そのフタ（２）をしめ、一層、シルバーカーに固定させるため、フタ（２）の左右にハネ（３）を設けた。フタ（２）はマジックテープでとめ、ハネ（３）は表側へ覆うようにして、マジックテープでとめる事で、シルバーカーにしっかり装着できる。又、フタ（２）には、ゴムなどで伸縮性をもたせているので、形の違う色々なタイプの手すりやブレーキでも、装着しやすくなっている。【選択図】    図１
2005015986.tif 000002
【特許請求の範囲】
【請求項１】
手ぶくろ本体（１）に手すりあるいは更にブレーキバーを通した状態で収納するため、切り込みを入れてフタ（２）にし、そのフタを閉め、さらに固定させるため、ハネ（３）を設け、フタ（２）はそのままマジックテープ（登録商標）または、ホックなどで止め、ハネ（３）はオモテ側へおおうようにしてマジックテープやホックなどで止めることで装着し、フタ（２）は伸縮性がきくので形の違うタイプの手すりやブレーキバー付きの手すりにも装着でき、シルバーカーに付けたままにしておけるシルバーカー用手ぶくろ。
【発明の詳細な説明】
【０００１】
【発明の属する技術分野】
この発明は老人用シルバーカーの手すりにつけたままにしておけて、取り外しの面倒がない、必要な時はすぐに手を出せる、防寒、日除け用に創作したシルバーカー用手ぶくろに関するものである。
【０００２】
【従来の技術】
従来、そのような手ぶくろはなく、寒くても、日差しが気になっても、直接自分の手に手ぶくろを取り付けるだけであった。
その手ぶくろを、折角付けて外出しても、結果的に不自由なので、はずしてしまうことが多かった。
【０００３】
【発明が解決しようとする課題】
これは次のような欠点があった。
（イ）  買い物などの際、支払いのレジで、手ぶくろを付けたまま小銭を出すのに、もたついている方が多かった。
（ロ）  かばんの中のものを、とっさに取り出す、出先の用を足すなど、細かい作業が、手ぶくろを付けていると大変難しかった。
（ハ）  以上のように、めんどうなので手ぶくろを付けずに、シルバーカーを押し、手が冷たい思いをする老人が多かった。
（ニ）  手ぶくろを外出のたび、持って出ないといけなかった。
本発明は、これらの欠点を除くためになされたものである。
【０００４】
【課題を解決するための手段】
手ぶくろ本体（１）にシルバーカーの、手すりと、ブレーキを通した状態で収納させるため、本体（１）の裏側に、切り込みをいれて、フタ（２）にした。
そのフタ（２）をしめ、一層シルバーカーに固定させるため、左右にハネ（３）を設けた。
フタ（２）はそのままマジックテープでとめ、ハネ（３）は表側へ本体（１）を覆うようにして、マジックテープでとめる事でシルバーカーに装着でき、そのままにしておける。
裏のフタ（２）には、ゴムが数本通してあり、伸縮性があるので、色々なタイプの手すりや、ブレーキにも装着できる。
以上のような構成のシルバーカー用手ぶくろ。
【０００５】
【発明の実施の形態】
以下、本発明の実施例について説明する。
（イ）  手ぶくろ本体（１）に手すりとブレーキを収納させるため、フタ（２）の中へ通した状態におく。
（ロ）  フタ（２）をしめるべく、そのままマジックテープへと固定させる。
（ハ）  ハネ（３）も、さらに固定させるため、表側へ覆うようにマジックテープで止める。
（ニ）  手の挿入口（４）に手を入れ、中に通っている手すりを握って、シルバーカーを押す。
本発明は、以上の構成よりなるシルバーカー用手ぶくろである。
本発明の実施の形態では、シルバーカーを例に説明したが、ベビーカー、ショッピングカー等でも同様に応用できる。
【０００６】
【発明の効果】
このように、シルバーカーにこの手ぶくろを付けておくと、寒い時、日差しの強い時（日焼けによるシミを防ぐ。）、普通の手ぶくろを付けるめんどうもなくなり、すぐに出かけられる。
また、素手で手すりを握っているので、手先の用も、手を抜いてすぐ行え、ブレーキも中で、握ることができ安全である。
また、財布から金銭を取り出す時も、手ぶくろのままであったり、はずしてから行うなどで、もたつくことがなく便利である。
また、フタ（２）にゴムを通すことにより、伸縮性が効くので、ベビーカーやショッピングカーなど違う形の手押し（引き）車にも装着できる。
さらにハネ（３）を設けることにより、開放部の密閉性が良くなり、保温効果が高まる。
【図面の簡単な説明】
【図１】本発明の展開図である。
【図２】本発明の使用状態を示す正面図である。
【図３】手ぶくろの中の使用状態を示す正面図である。
【符号の説明】
１．  手ぶくろ本体
２．  フタ
３．  ハネ
４．  挿入口
５．  手すり、ブレーキ収納部
【図１】
2005015986.tif 000003
【図２】
2005015986.tif 000004
【図３】
2005015986.tif 000005